(57)【要約】【課題】夏場の暑い寝苦しい夜でも、快適に眠ることができる、安眠まくらを提供すること。【解決手段】まくら素材２と、このまくら素材２の上部に配置した立体格子空間材３と、この立体格子空間材３と前記まくら素材２の間に配置した吸気ホルダー４と、この吸気ホルダー４に連通するホース口５と、このホース口５に着脱自在に接続したホースホルダー６を有するホース７と、このホース７の他端に接続した吸気ファン８と制御手段１０とを内蔵した吸気手段１１とからなり、睡眠時に必要に応じて、前記制御手段１０により、吸気ファン８を動作させ、前記立体格子空間材３を介して頭部周辺の空気を吸引するようにした。【選択図】  図２
2005006902.tif 000002
【特許請求の範囲】
【請求項１】
まくら素材（２）と、このまくら素材（２）の上部に配置した立体格子空間材（３）と、この立体格子空間材（３）と前記まくら素材（２）の間に配置した吸気ホルダー（４）と、この吸気ホルダー（４）に連通するホース口（５）と、このホース口（５）に着脱自在に接続したホースホルダー（６）を有するホース（７）と、このホース（７）の他端に接続した吸気ファン（８）と制御手段（１０）とを内蔵した吸気手段（１１）とからなり、睡眠時に必要に応じて、前記制御手段（１０）により、吸気ファン（８）を動作させ、前記立体格子空間材（３）を介して頭部周辺の空気を吸引するようにしたことを特徴とするまくら。
【請求項２】
まくら素材（２）を低反発ポリウレタンフォームとした請求項１記載のまくら。
【請求項３】
立体格子空間材（３）は連通する空気層（３ｂ）を保つようにプラスチック製の糸を多数編み込んで構成したことを特徴とする請求項１記載のまくら。
【請求項４】
立体格子空間材（３）の外周端部を無通気性または通気性の小さい材料のシール（３ｃ）で包囲して縫製固定した請求項１記載のまくら。
【請求項５】
まくら素材（２）の上部の一部に凹部（２ａ）を形成し、この凹部（２ａ）に吸気ホルダー（４）を載置した請求項１記載のまくら。
【請求項６】
吸気手段（１１）に設けた操作部（１２）の操作により、吸気ファン（８）の強弱などの動作を予め設定したプログラムに沿って切り替えるように制御手段（１０）で制御したことを特徴とする請求項１記載のまくら。
【発明の詳細な説明】
【０００１】
【発明の属する技術分野】
本発明は、一般家庭で使用され、特に夏場の寝苦しさを解消し、使用者がより寝易く、熟睡できる安眠まくらに関する。
【０００２】
【従来の技術】
従来、この種のまくらは、夏の暑い夜に頭部が汗でべとついたりしないで安眠可能とするため、頭部を適当に冷却できるようにまくら本体内に蓄冷体を内蔵し、畜冷体の冷熱を伝熱板と伝熱及びクッション作用を有するマット体を介して、まくらの使用者の頭を冷やそうとするものであり、この畜冷体をあらかじめ冷蔵庫や冷凍庫にて冷やしておいて使用することにより冷感を得ようとするものである（例えば特許文献１参照）。
【０００３】
また、まくらの枠部材の上面部に、網状のネットを張り付け、多数の小孔の開いたネットを介して、まくら内の空気とまくら外の空気とが交換されるようにし、まくら内に熱や湿気が籠もることをなくして、頭を冷やかに保つことにより冷感を得ようとするものである（例えば特許文献２参照）。
【０００４】
【特許文献１】
実開昭６２−９２７６２号公報
【特許文献２】
特開平８−２９９１３９号公報
【０００５】
【発明が解決しようとする課題】
しかしながら、上記の従来技術において、前者のものは、使用する前に畜冷体を冷蔵庫または冷凍庫に出し入れしなければならないため、取り扱いが面倒である。また、冷たすぎて快適感が得られにくい。また、冷却時間が長持ちしない。
さらに、湿気が高いため爽快感が得られないといった問題がある。
【０００６】
後者のものは、まくら内の暖まった空気が素早く交換されず、それ程頭部が冷却されないため冷感が得にくいという問題がある。
【０００７】
【課題を解決するための手段】
本発明は上記課題を解決するためになされたものであり、請求項１では、まくら素材と、このまくら素材の上部に配置した立体格子空間材と、この立体格子空間材と前記まくら素材の間に配置した吸気ホルダーと、この吸気ホルダーに連通するホース口と、このホース口に着脱自在に接続したホースホルダーを有するホースと、このホースの他端に接続した吸気ファンと制御手段とを内蔵した吸気手段とからなり、睡眠時に必要に応じて、前記制御手段により、吸気ファンを動作させ、前記立体格子空間材を介して頭部周辺の空気を吸引するようにしたものである。
【０００８】
また、請求項２では、まくら素材を低反発ポリウレタンフォームとしたものである。
【０００９】
また、請求項３では、立体格子空間材は連通する空気層を保つようにプラスチック製の糸を多数編み込んで構成したものである。
【００１０】
また、請求項４では、立体格子空間材の外周端部を無通気性または通気性の小さい材料のシールで包囲して縫製固定したものである。
【００１１】
また、請求項５では、まくら素材の上部の一部に凹部を形成し、この凹部に吸気ホルダーを載置したものである。
【００１２】
そして、請求項６では、吸気手段に設けた操作部の操作により、吸気ファンの強弱などの動作を予め設定したプログラムに沿って切り替えるように制御手段で制御したものである。
【００１３】
これにより、睡眠時に吸気手段を作動させ、吸引することにより、頭や顔の周辺の空気がゆっくりと吸引され、頭部の熱が徐々に奪われるので、特に夏場の寝苦しい夜でも、爽やかで肌触りが良く、更にまくらのクッション性も良いので気持ち良く、安眠が可能となるものである。
【００１４】
【発明の実施の形態】
以下、本発明の一実施例を図１〜図３を参照して説明する。
【００１５】
図１は本発明の一実施例を示すまくらの斜視図であり、図２は同じくまくら本体の一部断面を示す斜視図であり、図３は同じくまくら本体の断面図である。
【００１６】
図において、１はまくら本体である。２はまくら素材であり、まくら本体１を構成していて、クッション性の良い低反発ポリウレタンフォームで構成されている。また、このまくら素材２の上部の一部には凹部２ａを形成してある。
【００１７】
３は立体格子空間材で、まくら素材２の上部に載置されるもので、連通する空気層３ｂを保つようにプラスチック製の糸を多数編み込んで構成され通気性に優れているものである。また、この立体格子空間材３の上下面以外の外周端部は無通気性または通気性の小さい材料のシール３ｃで包囲して縫製等の手段により固定して気密に近い状態にしてある。
【００１８】
４は吸気ホルダーであり、前記立体格子空間材３と前記まくら素材２との間に配置され、上方部を扇状に開放し、前記まくら素材２の上部の一部に形成した凹部２ａに載置してある。
【００１９】
５はホース口であり、前記吸気ホルダー４の下部に連通していて、まくら本体１の側面に配してある。
【００２０】
６はホースホルダーであり、前記ホース口５に着脱自在に接続可能で、ホース７の一端に設けてある。また、このホース７の他端には、後述する吸気ファン８（図示せず）と、制御手段１０（図示せず）を内蔵した吸気手段１１を接続してある。
【００２１】
８は吸気ファンで、この吸気ファン８を動作させることによりまくら素材２の上部に載置された立体格子空間材３の連通する空気層３ｂから吸気ホルダー４とホース口５とホース７を介してまくら本体１の上面から空気を吸引する。
【００２２】
１０は制御手段で、マイクロコンピュータで構成され、運転中は吸気ファン８の強弱の動作を時間とともに変化を付けたゆらぎ動作を行わせて、自然の風に近いように予めプログラムされたシーケンスで吸気ファン８を制御するものである。
【００２３】
１２は操作部で、吸気手段１１に設けてあり、この操作部１２の操作により、前記吸気ファンの強弱動作の程度を設定することができるものである。
【００２４】
１３は吸気手段１１に設けられた吸気ファン８の排気口であり、１４は同じく吸気手段１１に設けられた電源コードである。
【００２５】
１５はまくらカバーで、通気性の良いニット等で構成し、まくら本体１を包んでいて、このまくらカバー１５の隙間を通してまくら本体１の上面から空気を吸引するものである。
【００２６】
以上の構成による作用について説明する。
【００２７】
まず、使用時はまくら本体１をふとん上の所定の位置に置き、まくら本体１の側面に配したホース口５にホース７のホースホルダー６を差込み、吸気手段１１の操作部１２を操作し、吸気ファン８の強弱動作の程度を設定すると、吸気手段１１内に内蔵した吸気ファン８が作動し、まくら本体１を包んでいるまくらカバー１５の隙間から立体格子空間材３を介してまくら本体１の上面周辺の空気を吸い込み、吸気ホルダー４よりホースホルダー６とホース７を経由して吸気手段１１内に吸引し、排気口１３より外方へ排気する。そして、運転中は制御手段１０の制御により、吸気ファン８の強弱の動作を時間とともに変化させたゆらぎの動作を行い、自然の風に近い空気の流れをまくら本体１の上面に発生させる。
【００２８】
この状態で睡眠すれば、爽やかな涼風が頭や顔の周りをゆっくりと流れ、頭部周辺の熱を奪うので、夏場の寝苦しい夜も涼しく寝ることができる。
【００２９】
また、吸気ファン８は、まくら本体１と別体に設けてあり、まくら本体１から十分な距離を離して置いてあるため、吸気ファン８の動作音や排気風などの影響がなく、更にまくら素材２は低反発ポリウレタンフォームで構成してあるので適度にクッション性が有り気持ち良く、安眠することが可能である。
【００３０】
尚、本実施例では、立体格子空間材３はプラスチック製の糸を編み込んだものにて構成しているが、樹脂製の成型品やへちまなど連通する空気層を有する立体格子空間が構成できるものであれば何でも良い。
【００３１】
また、まくら素材２についても、低反発ポリウレタンフォームにて構成したが、羽毛や、綿、プラスチック製のストローを短く切ったパイプなどまくらを構成できる素材であれば何でも良い。
【００３２】
また、頭部周辺の空気を吸引するのに吸気手段１１内に吸気ファン８を設けたが、吸引ポンプでも良い。
【００３３】
さらに、制御手段１０の予めプログラムされたシーケンス動作は、吸気ファン８の動作にゆらぎを発生させるだけではなく、温度センサーを設け、明け方の室温が低下したときには、吸気ファンの動作を自動的に弱運転にしたり、運転を停止したりする方法でも良く、本実施例の動作に限定されるものではない。
【００３４】
【発明の効果】
以上説明したように、本発明によれば、睡眠時に爽やかな涼風が頭や顔の周りをゆっくりと流れ、頭部周辺の熱を奪うので、夏場の寝苦しい夜も涼しく寝ることができる。
【００３５】
また、吸気ファンは、まくら本体と別体に設けてあり、まくら本体から十分な距離を離して置いてあるため、吸気ファンの動作音や排気風などの影響がなく、安眠することができるものである。
【図面の簡単な説明】
【図１】本発明の一実施例を示すまくらの斜視図である。
【図２】同じくまくら本体の一部断面を示す斜視図である。
【図３】同じくまくら本体の断面図である。
【符号の説明】
２  まくら素材
２ａ  凹部
３  立体格子空間材
３ｃ  シール
４  吸気ホルダー
５  ホース口
６  ホースホルダー
７  ホース
８  吸気ファン
１０  制御手段
１１  吸気手段
１２  操作部
【図１】
2005006902.tif 000003
【図２】
2005006902.tif 000004
【図３】
2005006902.tif 000005